(57)【要約】【課題】撮影した画像データの被写体の位置及びサイズを適切に調整することである。【解決手段】被写体を撮像して画像データを生成するデジタルカメラ３０と、情報を表示する表示部４０と、操作入力を受け付ける操作部６０と、デジタルカメラ３０に被写体を撮影させ、当該撮影された画像データの画像とともに３本のゲージを表示部４０に表示させ、当該３本のゲージの移動に対応して被写体の３箇所の位置情報の入力を操作部６０を介して受け付け、当該入力された３箇所の位置情報に基づいて前記撮影された画像データの被写体の位置及びサイズを所定の基準情報に適合するように調整する本体部１０と、を備える。【選択図】図２
2006303780.tif 000002
【特許請求の範囲】
【請求項１】
被写体を撮像して画像データを生成する撮像手段と、
情報を表示する表示手段と、
操作入力を受け付ける入力手段と、
前記撮像手段に被写体を撮影させ、当該撮影された画像データの画像とともに３本のゲージを表示させ、当該３本のゲージの移動に対応して被写体の３箇所の位置情報の入力を前記入力手段を介して受け付け、当該入力された３箇所の位置情報に基づいて前記撮影された画像データの被写体の位置及びサイズを所定の基準に適合するように調整する制御手段と、
を備えることを特徴とする撮影装置。
【請求項２】
前記被写体の３箇所は、被写体の頭の先端、目及びあごの先端であり、
前記制御手段は、入力された頭及びあごの先端の位置情報に基づいて前記撮影された画像データの被写体のサイズを前記所定の基準に適合するように調整し、入力された目の位置情報に基づいて前記撮影された画像データの被写体の位置を前記所定の基準に適合するように調整することを特徴とする請求項１に記載の撮影装置。
【請求項３】
前記制御手段は、１本の前記ゲージの表示及び前記被写体の１箇所の位置情報の入力を順に３回行わせることを特徴とする請求項１又は２に記載の撮影装置。
【請求項４】
前記制御手段は、３本の前記ゲージの表示及び前記被写体の３箇所の位置情報の入力を一斉に行わせることを特徴とする請求項１又は２に記載の撮影装置。
【請求項５】
前記制御手段は、前記撮影された画像データの被写体位置及び画像サイズの調整において、画像データの不足が発生した場合に、当該画像データの不足の旨を前記表示手段に表示させるとともに前記撮像手段に被写体を再撮影させることを特徴とする請求項１から４のいずれか一項に記載の撮影装置。
【請求項６】
前記制御手段は、前記撮像手段により撮影前に撮像された画像データ又は前記撮影された画像データの被写体像が顔認証に適しているか否かを判別し、顔認証に適していない場合に、当該顔認証に適していない旨を前記表示手段に表示させるとともに前記撮像手段に被写体を撮影又は再撮影させることを特徴とする請求項１から５のいずれか一項に記載の撮影装置。
【請求項７】
前記制御手段は、前記撮像手段により撮像された画像データに基づいて、被写体が不適切な装着物をつけていることと、被写体の特徴を示す部分が隠れていることと、被写体の特徴を示す部分が不適切な状態であることと、の少なくとも一つを検出し、その検出結果に基づいて、被写体像が顔認証に適しているか否かを判別することを特徴とする請求項６に記載の撮影装置。
【請求項８】
前記制御手段により調整された画像データの画像を記録媒体に記録する記録手段を備えることを特徴とする請求項１から７のいずれか一項に記載の撮影装置。
【発明の詳細な説明】
【技術分野】
【０００１】
本発明は、被写体を撮影する撮影装置に関する。
【背景技術】
【０００２】
従来、免許証やパスポート、履歴書等に貼付するような証明写真等を撮影するためのボックス型の写真撮影装置が普及しており、街頭や店頭に設置されている。このような写真撮影装置では、撮影ボックス内に顧客が入り、ガイドに従って顧客自らが撮影操作することにより、簡単にかつ短時間でプリント写真を得ることができる。
【０００３】
免許証、パスポート等で使用される証明写真は、そのサイズやカラー、白黒等の条件が指定されているため、上記写真撮影装置では撮影された撮影画像のサイズやカラー又は白黒等のプリント種類を顧客が選択でき、撮影した画像データをプリントするように構成されている。
【０００４】
また、デジタルで撮影を行う写真撮影装置が実施されている。デジタルの写真撮影装置では、撮影画像における頭及びあごの先端位置を撮影者が入力することにより、適切な顔サイズとなるように画像データの倍率を変化させてプリントするように構成される。また、撮影画像における頭及びあごの先端位置を画像処理により自動的に検出する構成も考えられている（例えば、特許文献１参照）。
【特許文献１】特開２００３−１８９２９６号公報
【発明の開示】
【発明が解決しようとする課題】
【０００５】
近年、パスポート用等の顔認証が重要な証明写真には、写真内の顔サイズに加えて、目の位置も規格として要求されつつある。しかし、従来の頭及びあごの先端位置を指定する写真撮影装置では、顔サイズを適切にすることができても、目の位置を規格に合わせることができなかった。
【０００６】
本発明の課題は、撮影した画像データの被写体の位置及びサイズを適切に調整することである。
【課題を解決するための手段】
【０００７】
上記の課題を解決するために、請求項１に記載の発明は、
被写体を撮像して画像データを生成する撮像手段と、
情報を表示する表示手段と、
操作入力を受け付ける入力手段と、
前記撮像手段に被写体を撮影させ、当該撮影された画像データの画像とともに３本のゲージを表示させ、当該３本のゲージの移動に対応して被写体の３箇所の位置情報の入力を前記入力手段を介して受け付け、当該入力された３箇所の位置情報に基づいて前記撮影された画像データの被写体の位置及びサイズを所定の基準に適合するように調整する制御手段と、
を備える撮影装置であることを特徴とする。
【０００８】
請求項２に記載の発明は、請求項１に記載の撮影装置について、
前記被写体の３箇所は、被写体の頭の先端、目及びあごの先端であり、
前記制御手段は、入力された頭及びあごの先端の位置情報に基づいて前記撮影された画像データの被写体のサイズを前記所定の基準に適合するように調整し、入力された目の位置情報に基づいて前記撮影された画像データの被写体の位置を前記所定の基準に適合するように調整することを特徴とする。
【０００９】
請求項３に記載の発明は、請求項１又は２に記載の撮影装置について、
前記制御手段は、１本の前記ゲージの表示及び前記被写体の１箇所の位置情報の入力を順に３回行わせることを特徴とする。
【００１０】
請求項４に記載の発明は、請求項１又は２に記載の撮影装置について、
前記制御手段は、３本の前記ゲージの表示及び前記被写体の３箇所の位置情報の入力を一斉に行わせることを特徴とする。
【００１１】
請求項５に記載の発明は、請求項１から４のいずれか一項に記載の撮影装置について、
前記制御手段は、前記撮影された画像データの被写体位置及び画像サイズの調整において、画像データの不足が発生した場合に、当該画像データの不足の旨を前記表示手段に表示させるとともに前記撮像手段に被写体を再撮影させることを特徴とする。
【００１２】
請求項６に記載の発明は、請求項１から５のいずれか一項に記載の撮影装置について、
前記制御手段は、前記撮像手段により撮影前に撮像された画像データ又は前記撮影された画像データの被写体像が顔認証に適しているか否かを判別し、顔認証に適していない場合に、当該顔認証に適していない旨を前記表示手段に表示させるとともに前記撮像手段に被写体を撮影又は再撮影させることを特徴とする。
【００１３】
請求項７に記載の発明は、請求項６に記載の撮影装置について、
前記制御手段は、前記撮像手段により撮像された画像データに基づいて、被写体が不適切な装着物をつけていることと、被写体の特徴を示す部分が隠れていることと、被写体の特徴を示す部分が不適切な状態であることと、の少なくとも一つを検出し、その検出結果に基づいて、被写体像が顔認証に適しているか否かを判別することを特徴とする。
【００１４】
請求項８に記載の発明は、請求項１から７のいずれか一項に記載の撮影装置について、
前記制御手段により調整された画像データの画像を記録媒体に記録する記録手段を備えることを特徴とする。
【発明の効果】
【００１５】
請求項１に記載の発明によれば、基準に適合するように、撮影した画像データの被写体の位置及びサイズを適切に調整できる。
【００１６】
請求項２に記載の発明によれば、入力された頭及びあごの先端の位置情報に基づいて被写体の顔サイズを適切に調整でき、入力された目の位置情報に基づいて被写体の目の位置を適切に調整できる。
【００１７】
請求項３に記載の発明によれば、被写体の位置情報の入力を操作者がより確実に行うことができる。
【００１８】
請求項４に記載の発明によれば、被写体の位置情報の入力時間を短縮できる。
【００１９】
請求項５に記載の発明によれば、画像データの不足が発生した場合に、その旨を操作者に報知できるとともに、画像データの不足を発生しない様にした後に、再撮影して画像データの不足がない調整を行うことができる。
【００２０】
請求項６に記載の発明によれば、撮像又は撮影された画像データの被写体像が顔認証に適していない旨を被写体に報知でき、被写体が顔認証に適する様にした後に、顔認証に適した画像データを撮影できる。
【００２１】
請求項７に記載の発明によれば、被写体が不適切な装着物を着けているかと、被写体の特徴を示す部分が隠れているかと、被写体の特徴を示す部分が適正な状態であるかと、の少なくとも一つの検出により、被写体像が顔認証に適しているか否かをより確実に判別できる。
【００２２】
請求項８に記載の発明によれば、撮影して被写体の位置及びサイズを調整した画像データの画像を記録媒体に記録できる。
【発明を実施するための最良の形態】
【００２３】
以下、図面を参照して本発明に係る実施の形態及びその変形例を順に詳細に説明する。ただし、発明の範囲は、図示例に限定されない。
【００２４】
本実施の形態は、被写体を撮影して、その撮影した画像上に表示される３本のゲージの位置入力により、撮影した画像データの顔サイズ及び目の位置を適切に調整してプリントする構成である。
【００２５】
先ず、図１、図２を参照して、本実施の形態の装置構成を説明する。図１に、本実施の形態の写真撮影装置１００の透視図を示す。図２に、写真撮影装置１００の内部構成を示す。
【００２６】
図１に示すように、撮影装置としての写真撮影装置１００はボックス型に形成されており、その外壁にはプリント写真を取り出す取出口７１が設置されており、ボックス内部（以下、撮影室という）には、被写体Ｍ用の椅子Ｃが回転可能に設置されている。なお、椅子Ｃは回転により昇降するように構成されている。また、被写体Ｍの上方、正面、背面にはそれぞれ照明用のストロボ２０ａが設置されており、被写体Ｍの正面には操作手順やその他撮影に関する各種画面、撮影された証明写真画像等を表示する表示部４０と、操作指示を入力するための操作ボタン６０ａと、メディアを挿入可能なスロット９２ａと、被写体Ｍである顧客が撮影室内に入室したことを検出するためのセンサＳと、撮影料金を精算するためのコインメック５０と、が設置されている。
【００２７】
図２に示すように、写真撮影装置１００は、本体部１０と、ストロボユニット２０と、デジタルカメラ３０と、表示手段としての表示部４０と、コインメック５０と、操作部６０と、プリンタ部７０と、通信部８０と、コネクタ９１と、メディア読込部９２と、センサＳと、を備えて構成されている。
【００２８】
本体部１０は、制御部１１と、Ｉ／Ｏ（Input/Output）コントロール１２、ＲＯＭ（Read Only Memory）１３と、ＲＡＭ（Random Access Memory）１４と、ＤＶＤ（Digital Versatile Disk）１５と、Ｉ／Ｆ（InterFace）１６と、から構成されている。本体部１０は、Ｉ／Ｏコントロール１２を介して、ストロボユニット２０、コインメック５０及び操作部６０に接続されるとともに、Ｉ／Ｆ１６を介してプリンタ部７０に接続されている。
【００２９】
制御部１１は、写真撮影装置１００の各部を集中制御する。制御部１１により、ＲＯＭ１３に格納されるシステムプログラムや各種アプリケーションプログラムが読み出されてＲＡＭ１４に展開され、その展開されたプログラムと制御部１１との協働により、各種処理が実行される。このプログラムと制御部１１との協働により、制御手段が実現される。
【００３０】
Ｉ／Ｏコントロール１２は、本体部１０と、ストロボユニット２０、コインメック５０及び操作部６０と、の間で情報のやり取りを仲介するインターフェイスであり、制御部１１からの制御信号をストロボユニット２０、コインメック５０に送信するとともに操作部６０からの操作信号を制御部１１に送信する。
【００３１】
ＲＯＭ１３は、読み出し専用のメモリであり、システムプログラムや各種アプリケーションプログラムを記憶する。また、ＲＯＭ１３は、プリントシートにおける撮影画像のコマ数、配置位置、或いはサービス画像のサイズ、コマ数、配置位置等のレイアウトを規定するプリントフォーマット等の各種データを記憶している。
【００３２】
ＲＡＭ１４は、揮発性のメモリであり、制御部１１によって実行される各種プログラム及びこれらプログラムに係るデータを一時的に記憶するワークエリアを形成する。また、ＲＡＭ１４は、デジタルカメラ３０により撮影された撮影画像の画像データを一時的に記憶する。
【００３３】
ＤＶＤ１５は、デジタルカメラ３０により撮影された撮影画像（原画像）の画像データを記憶するとともに、制御部１１により各種画像加工が施されて生成されたサービス画像の画像データを記憶する。
【００３４】
Ｉ／Ｆ１６は、本体部１０と、プリンタ部７０と、の間で情報のやり取りを仲介するインターフェイスであり、制御部１１において作成されたプリントデータをプリンタ部７０に送信する。
【００３５】
ストロボユニット２０は、制御部１１からの制御信号に従って、写真撮影装置１００の各位置に設置されたストロボ２０ａの発行タイミングや発光量を制御する。
【００３６】
デジタルカメラ３０は、光学レンズや、ＣＣＤ（Charge Coupled Device）、ＣＭＯＳ（Complementary Metal-Oxide Semiconductor）等の光学素子、Ａ／Ｄ変換部等から構成される撮像手段であり、光学レンズを介して入力される被写体像を光学センサにより光電変換して画像信号を生成する。そして、Ａ／Ｄ変換部によりアナログ画像信号からデジタルの画像データを得て、当該画像データを本体部１０に出力する。なお、デジタルカメラ３０に代えて動画を記録可能なデジタルビデオカメラを撮像手段として適用することとしてもよい。
【００３７】
表示部４０は、ＬＣＤ（Liquid Crystal Display）等から構成され、このＬＣＤ上にプリント条件を選択するための条件選択画面等の各種操作画面を表示する。
【００３８】
コインメック５０は、硬貨や紙幣の入金口、釣銭の返金口等を備えた金銭登録機であり、入金口から入金された金額の情報を制御部１１に出力する。また、制御部１１から指示された金額の硬貨又は紙幣を釣銭返金口に排出する。
【００３９】
操作部６０は、撮影室の内壁に設けられた上下ボタン等の選択ボタン、決定ボタン、撮影ボタン等の各種機能の操作ボタン６０ａを備えて構成される操作手段であり、押下されたボタンに対応する操作信号を制御部１１に出力する。
【００４０】
プリンタ部７０は、制御部１１から入力されるプリントデータに基づいて記録媒体としての所定のプリントシートにプリント出力を行うプリント手段である。本実施形態では、プリンタ部７０のプリント方式として、色材を昇華、転移させて画像を形成する昇華型熱転写方式が適用されていることとするが、記録受像層に転移させて画像を形成する溶融転写記録方式を適用することとしてもよいし、電子写真方式、インクジェット方式やその他のプリント方式であってもよい。また、銀塩写真像を形成するものであってもよい。
【００４１】
通信部８０は、ネットワークインターフェイスカード、モデム等の通信用インターフェイスから構成される通信手段であり、通信ネットワーク上の外部機器と相互に情報の送受信を行う。例えば、他の写真撮影装置に画像データを転送してプリント出力させたり、ホストサーバに画像データを転送して画像登録したりすることが可能である。
【００４２】
コネクタ９１は、携帯電話、デジタルカメラ等の電子機器を接続するためのインターフェイスである。
【００４３】
メディア読込部９２は、メディアを挿入するためのスロット９２ａを備え、制御部１１からの制御信号に従ってこのスロット９２ａに挿入されたメディアに記録されている画像データを読み出す。そして、読み出された画像データを制御部１１に送信する。
【００４４】
センサＳは、顧客が撮影室に入室したことを検出するものであり、顧客の入室を検出するとその検出信号を制御部１１に出力する。センサＳとしては、発光器と受光器とからなる光学式センサ等が適用可能である。
【００４５】
次に、図３を参照して、本実施の形態におけるパスポート用の証明写真の規格を説明する。図３に、パスポート用証明写真の規格を説明するための証明写真Ｆの構成を示す。
【００４６】
図３に示すように、被写体Ｍが撮影されたパスポート用の証明写真Ｆにおいて、証明写真Ｆの縦の長さＢと、証明写真Ｆの下から被写体Ｍの目までの長さＢＢと、被写体Ｍの顔の縦の長さＤＤと、を考える。パスポート用証明写真の規格として、被写体Ｍの顔のサイズについては、被写体Ｍが１１歳以上の場合に、ＤＤ／Ｂ＝７０〜８０［％］が要求されるものとし、被写体Ｍが１１歳未満の場合に、ＤＤ／Ｂ＝５０〜８０［％］が要求されるものとする。また、被写体Ｍの目の位置（顔の位置）については、被写体Ｍが１１歳以上の場合に、ＢＢ／Ｂ＝５０〜７０［％］が要求されるものとし、被写体Ｍが１１歳未満の場合に、ＢＢ／Ｂ＝４０〜７０［％］が要求されるものとする。
【００４７】
また、図示しないが、パスポート用証明写真の規格として、証明写真Ｆ（の被写体Ｍ）が顔認証に適していることが要求される。例えば、被写体Ｍが不適切な装着物を着けている場合、被写体Ｍの特徴を示す部分が隠れている場合、被写体Ｍの特徴を示す部分が不適切な状態である場合に、顔認証に適していないものとする。被写体Ｍが不適当な装着物を着けている場合としては、被写体Ｍがサングラス、帽子や、フレームが太すぎる眼鏡等を着けている場合とする。また、被写体Ｍの特徴を示す部分が隠れている場合としては、眼鏡フレームの瞳がかり、眼鏡の光反射、前髪で目が隠れていることが現れていること等とする。また、被写体Ｍの特徴を示す部分が不適切な状態である場合としては、被写体Ｍの目つぶり、口が開いていること等が現れている場合とする。
【００４８】
次に、図４〜図９を参照して、写真撮影装置１００の動作を説明する。図４に、撮影処理の流れを示す。図５に、図４の撮影処理の流れの続きを示す。図６に、各種画面を示し、（ａ）に料金精算画面ｍ１の構成を示し、（ｂ）にカラー選択画面ｍ２の構成を示し、（ｃ）に写真種選択画面ｍ３の構成を示す。図７に、各種画面を示し、（ａ）に年齢選択画面ｍ４の構成を示し、（ｂ）に撮影ガイド画面ｍ５の構成を示し、（ｃ）に画像選択画面ｍ６の構成を示す。図８に、各種画面を示し、（ａ）に頭位置入力画面ｍ７の構成を示し、（ｂ）に目位置入力画面ｍ８の構成を示し、（ｃ）にあご位置入力画面ｍ９の構成を示す。図９に、各種画面を示し、（ａ）に警告画面ｍ１０の構成を示し、（ｂ）にプリント確認画面ｍ１１の構成を示す。
【００４９】
写真撮影装置１００で実行される撮影処理を説明する。例えば、センサＳにより、被写体であり且つ撮影者である顧客が撮影室に入室したことが検出されたことをトリガとして、制御部１１と、ＲＯＭ１３から適宜読み出されてＲＡＭ１４に展開された撮影プログラムと、の協働により、撮影処理が実行される。
【００５０】
写真撮影装置１００において、撮影室への顧客の入室前には、省エネモードに設定され、撮影室内の照明が消灯されるが、顧客の入室により、省エネモードが解除され、撮影室内の照明が点灯される。
【００５１】
図４及び図５に示すように、先ず、料金精算処理が実行される（ステップＳ１）。例えば、図６（ａ）に示す料金精算画面ｍ１が表示部４０に表示され、規定料金を投入するようガイダンスが行われる。そして、顧客によりコインメック５０に入金されると、入金された料金金額に応じて制御部１１において釣銭の金額が算出され、釣銭が有る場合はコインメック５０の返金口に釣銭が排出されて、料金の精算が行われる。
【００５２】
そして、カラー選択画面が表示部４０に表示され、操作ボタン６０ａを介して顧客から入力される選択情報に基づいて、プリントする証明写真のカラー／白黒の選択が行われる（ステップＳ２）。例えば、図６（ｂ）に示すカラー選択画面ｍ２が表示部４０に表示され、このカラー選択画面ｍ２においてプリント写真をカラープリント（マークｋ２１に対応）又は白黒プリント（マークｋ２２に対応）の何れか所望の一つが操作ボタン６０ａを介して選択入力される。
【００５３】
本実施の形態では、操作ボタン６０ａの選択ボタン押下により、表示画面内の選択中のマーク（例えばハイライト表示される）が移動され、操作ボタン６０ａの決定ボタン押下により、その選択中のマークに対応する情報が選択決定されるものとし、以下同様とする。また、撮影前に表示される各画面に含まれる被写体の画像は、デジタルカメラ３０により撮像された画像データの画像を利用する構成としてもよい。
【００５４】
そして、写真種選択画面が表示部４０に表示され、操作ボタン６０ａを介して顧客から入力される選択情報に基づいて、プリントする証明写真のパスポート等の写真種の選択が行われる（ステップＳ３）。例えば、図６（ｃ）に示す写真種選択画面ｍ３が表示部４０に表示され、免許証（マークｋ３１に対応）、履歴書（マークｋ３２に対応）、パスポート（マークｋ３３に対応）、大型（マークｋ３４に対応）の４種の写真サイズのうちの何れか所望の一つが、操作ボタン６０ａを介して選択入力される。
【００５５】
そして、年齢選択画面が表示部４０に表示され、操作ボタン６０ａを介して顧客から入力される選択情報に基づいて、被写体である顧客が１１歳以上であるか否かの選択が行われる（ステップＳ４）。例えば、図７（ａ）に示す年齢選択画面ｍ４が表示部４０に表示され、１１歳以上（マークｋ４１に対応）、１１歳未満（マークｋ４２に対応）うちの何れか所望の一つが、操作ボタン６０ａを介して選択入力される。
【００５６】
そして、撮影ガイド選択画面が表示部４０に表示され、操作ボタン６０ａを介して顧客から撮影実行情報が入力される、又は制限時間が経過すると、次のステップＳ６に移行される（ステップＳ５）。例えば、図７（ｂ）に示す撮影ガイド画面ｍ５が表示部４０に表示され、顧客が確認し終えると、撮影実行（マークｋ５１に対応）が、操作ボタン６０ａを介して入力され、又は所定時間が経過すると、次のステップＳ６で撮影が実行される。
【００５７】
そして、ストロボユニット２０の制御によりストロボ２０ａにおいて発光が行われ、同時にデジタルカメラ３０により複数回の撮影が順に行われる（ステップＳ６）。例えば、３回撮影を行い、後述するように、一番うまく撮れているものを顧客が選択する。また、複数回撮影する構成に限定されるものではなく、撮影回数を一回とする構成としてもよい。
【００５８】
そして、ステップＳ６で撮影された画像データがデジタルカメラ３０から制御部１１に入力され、当該画像データに対して、画像選択画面用にサイズ調整、トリミング等の画像処理が行われて選択用画像データが生成され、当該選択用画像データの画像（選択用画像）を含む画像選択画面が表示部４０に表示され、操作ボタン６０ａを介して顧客から入力される選択情報に基づいて、プリント対象の画像の選択が行われる（ステップＳ７）。例えば、図７（ｃ）に示すように、画像選択画面ｍ６が表示部４０に表示され、選択用画像ｍ６１〜ｍ６３（それぞれマークｋ６１〜ｋ６３に対応）のうちから所望の一つの画像が、操作ボタン６０ａを介して選択入力される。
【００５９】
そして、ステップＳ５で撮影された画像データが、画像確認画面用にサイズ調整、トリミング等の画像処理が行われて確認用画像データが生成され、当該確認用画像データの画像（確認用画像）を含む画像確認画面が表示部４０に表示され、操作ボタン６０ａを介して顧客から入力される確認情報に基づいて、次のステップへの移行が実行される（ステップＳ８）。例えば、画像確認画面において、顧客により選択用画像が確認された後、次に進む旨のマークが、操作ボタン６０ａを介して入力される。
【００６０】
そして、ステップＳ３において写真種としてパスポートが選択されたか否かが判別される（ステップＳ９）。パスポート用の証明写真は、他の写真種と異なり、上記で述べたパスポート用の規格に応じた処理を行うためである。パスポート用である場合（ステップＳ９；ＹＥＳ）、頭の先端位置調整用、目の位置調整用、あごの先端位置調整用のゲージを有する位置入力画面が表示部４０に順に表示されるとともに、顧客からの操作ボタン６０ａを介したゲージ位置の位置入力に基づいて、頭の先端、目、あごの先端の位置情報が順に取得される（ステップＳ１０）。
【００６１】
ステップＳ１０では、例えば、図８（ａ）に示す確認用画像と同様の調整用画像ｍ７１を含む頭位置入力画面ｍ７が表示部４０に表示され、被写体Ｍ１の頭の先端にゲージ（ライン）Ｌ１が調整されるように、操作ボタン６０ａの上下（選択）ボタンを介して入力された後、調整位置決定のマークｋ７１が、操作ボタン６０ａの決定ボタンを介して入力される。そして、図８（ｂ）に示す調整用画像ｍ８１を含む目位置入力画面ｍ８が表示部４０に表示され、被写体Ｍ１の目の高さにゲージ（ライン）Ｌ２が調整されるように、操作ボタン６０ａの上下ボタンを介して入力された後、調整位置決定のマークｋ８１が、操作ボタン６０ａの決定ボタンを介して入力される。そして、図８（ｃ）に示す調整用画像ｍ９１を含むあご位置入力画面ｍ９が表示部４０に表示され、被写体Ｍ１の目の高さにゲージ（ライン）Ｌ３が調整されるように、操作ボタン６０ａの上下ボタンを介して入力された後、調整位置決定のマークｋ９１が、操作ボタン６０ａの決定ボタンを介して入力される。
【００６２】
そして、確認用画像データの画像が、顔認証に適切な画像であるか否かがチェックされる（ステップＳ１１）。例えば、被写体が不適切な装着物を着けていることとして、被写体がサングラス、帽子や、フレームが太すぎる眼鏡等を着けているか否かがチェックされる。また、被写体の特徴を示す部分が隠れていることとして、眼鏡フレームの瞳がかり、眼鏡の光反射、前髪で目が隠れていること等がチェックされる。また、被写体の特徴を示す部分が不適切な状態であることとして、被写体の目つぶり、口が開いていること等がチェックされる。
【００６３】
眼鏡の光反射の判別は、例えば、画像中の瞳の付近に輝度が高い部分があるか否かにより判別する。さらに詳しくは、目の付近の画像において、輝度値が所定値よりも高い画素の画素数が閾値以上であるか否か、ヒストグラムの変化量が所定値よりも大きい部分があるか否か、所定の形状の照明を用い画像中にその所定の形状が検出されたか否か、等により判別される。
【００６４】
また、目（瞳）の特定は、虹彩に対応する円形部分の検出や、画像上の特徴点検出等により行う。また、目の特定は、撮影とは別に画像を時系列で撮像して、その時系列の画像において、瞬きによる瞳部分の消滅検出、通常の瞳孔の大きさ変化による瞳部分の検出、照度変化での瞳孔の大きさ変化による瞳部分の検出、頭よりも激しく動いてる部分を眼球とする検出、２つの撮像手段で撮像した画像における三角測量を利用した瞳部分の検出、等としてもよい。このように、画像上の目の検出に基づいて、上記サングラス、前髪、目つぶり等により、目が隠れているか否かががチェックされる。
【００６５】
また、上記眼鏡のフレーム、帽子等の装着は、例えば、顔部分と特定される領域に、肌、髪と異なる色相等の画素が所定数以上検出されること等に基づいて、チェックされる。また、口空きは、口の特徴点検出等によりチェックされる。
【００６６】
そして、ステップＳ１１において、確認用画像が顔認証に適しているかのチェックがＯＫであるか否かが判別される（ステップＳ１２）。チェックＯＫでない場合（ステップＳ１２；ＮＯ）、顔認証に適していない旨の警告画面が表示部４０に表示され、操作ボタン６０ａを介して顧客から入力される確認情報に基づいて、ステップＳ５への移行が実行される（ステップＳ１３）。例えば、顧客がカチューシャを着けて撮影した場合に、図９（ａ）に示す確認用画像ｍ１０１と、装着物を外す指示のメッセージとを含む警告画面ｍ１０が表示部４０に表示され、顧客によりその装着物が外された後、次に進む旨のマークｋ１０１が、操作ボタン６０ａを介して入力される。
【００６７】
チェックＯＫである場合（ステップＳ１２；ＹＥＳ）、ステップＳ４において顧客の年齢が１１歳以上であると入力されたか否かが判別される（ステップＳ１４）。顧客の年齢が１１歳以上である場合（ステップＳ１４；ＹＥＳ）、ステップＳ１０で入力された頭の先端、目、あごの位置情報に基づいて、１１歳以上用の規格に合うように、確認用画像の画像データに、トリミング、色補正、画像縮小・拡大、等の画像処理が施されて、プリント確認用画像の画像データが生成される（ステップＳ１５）。具体的には、図３で説明したように、頭の先端及びあごの位置情報に基づいて、顔の縦のサイズが画像全体の７０〜８０［％］となり、目の位置情報に基づいて、目の位置が画像の下から５０〜７０［％］となるように、確認用画像の画像データに画像処理が施される。
【００６８】
顧客の年齢が１１歳未満である場合（ステップＳ１４；ＮＯ）、ステップＳ１３で入力された頭の先端、目、あごの位置情報に基づいて、１１歳未満用の規格に合うように、確認用画像の画像データに、トリミング、色補正、画像縮小・拡大、等の画像処理が施されてプリント確認用画像の画像データが生成される（ステップＳ１６）。具体的には、図３で説明したように、頭の先端及びあごの位置情報に基づいて、顔の縦のサイズが画像全体の５０〜８０［％］となり、目の位置情報に基づいて、目の位置が画像の下から４０〜７０［％］となるように、確認用画像の画像データに画像処理が施される。
【００６９】
パスポート用でない場合（ステップＳ９；ＮＯ）、頭の先端位置調整用、あごの先端位置調整用にそれぞれ対応するゲージを有する位置入力画面が表示部４０に順に表示されるとともに、顧客からの操作ボタン６０ａを介したゲージ位置の調整入力により、頭の先端、あごの先端の位置情報が順に取得される（ステップＳ１７）。そして、ステップＳ１３で入力された頭の先端、あごの位置情報に基づいて、確認用画像の画像データに、トリミング、色補正、画像縮小・拡大、等の画像処理が施されて、プリント確認用画像の画像データが生成される（ステップＳ１８）。具体的には、頭の先端及びあごの位置情報に基づいて、顔の縦のサイズを適切な値にするように、確認用画像の画像データに画像サイズの変更等の画像処理が施される。
【００７０】
そして、ステップＳ１５、Ｓ１６又はＳ１８において、画像データのリサイズが正常であるか否かが判別される（ステップＳ１９）。例えば、顧客がデジタルカメラ３０に近づきすぎて、その画像縮小より画素データが足らなくなる場合等に、リサイズが正常でないものとする。画像データのリサイズが正常でない場合（ステップＳ１９；ＮＯ）、リサイズが正常でない旨の警告画面が表示部４０に表示され、操作ボタン６０ａを介して顧客から入力される確認情報に基づいて、ステップＳ５に移行される（ステップＳ２０）。
【００７１】
画像データのリサイズが正常である場合（ステップＳ１９；ＹＥＳ）、ステップＳ１５、Ｓ１６又はＳ１８において生成されたプリント確認用画像データのプリント確認用画像を含むプリント確認画面が表示部４０に表示され、操作ボタン６０ａを介して顧客から入力される選択情報に基づいて、プリント又は撮り直しが選択される（ステップＳ２１）。例えば、図９（ｂ）に示すプリント確認用画像ｍ１１１を含むプリント確認画面ｍ１１が表示部４０に表示され、プリント実行（マークｋ１１１に対応）又は撮り直し（マークｋ１１２に対応）が、操作ボタン６０ａを介して選択入力される。
【００７２】
そして、ステップＳ２１において、撮り直しが選択入力されたか否かが判別される（ステップＳ２２）。撮り直しが選択入力された場合（ステップＳ２２；ＹＥＳ）、ステップＳ２に移行される。撮り直しが選択入力されていない場合（ステップＳ２２；ＮＯ）、全ての操作が終了した旨を示す終了画面が表示部４０に表示される（ステップＳ２３）。そして、プリント確認用画像データに基づいて、プリンタ部７０によりプリント確認用画像が
プリントシートに記録され、証明写真として取出口７１から排出され（ステップＳ２４）、撮影処理が終了する。
【００７３】
以上、本実施の形態によれば、表示部４０に表示された調整用画像上の３本のゲージを用いて入力された頭及びあごの先端の位置情報に基づいて、撮影した画像データの被写体の顔サイズを適切に調整でき、入力された目の位置情報に基づいて、撮影した画像データの被写体の顔の位置（目の位置）を適切に調整でき、その調整した画像データの画像をプリント出力できる。また、画像データから自動的に被写体の位置情報を検出する構成に比べて、その位置情報の取得を確実に行うことができる。
【００７４】
また、位置入力画面ｍ７，ｍ８，ｍ９を順に表示して、各位置情報入力画面に対応した被写体の頭の先端、目及びあごの先端の位置情報の入力を、操作ボタン６０ａを介して操作者（撮影者）がより確実に行うことができる。
【００７５】
また、撮影した画像データの被写体サイズ及び被写体位置の調整時に画像データの不足が発生した場合に、その旨を表示して顧客に報知できるとともに、顧客が顔をデジタルカメラ３０から遠ざける等した後、再撮影して不足がない画像データの被写体の位置及びサイズの調整を行うことができる。
【００７６】
また、被写体が不適切な装着物を着けているか否かと、被写体の特徴を示す部分が隠れているか否かと、被写体の特徴を示す部分が不適切な状態であるか否かと、により、撮影した画像データの被写体像が顔認証に適しているか否かをより確実に判別でき、被写体像が顔認証に適していない場合に、その旨を表示して顧客に報知でき、顧客が顔認証に適する様にした後、顔認証に適した画像データを撮影できる。
【００７７】
（変形例）
図１０を参照して、上記実施の形態の変形例を説明する。図１０に、位置入力画面ｍ１２の構成を示す。
【００７８】
本変形例の装置構成は、上記実施の形態と同様に、写真撮影装置１００を用いるものとするが、表示部４０が操作部６０と一体的にタッチパネルを構成するものとする。
【００７９】
また、本変形例の写真撮影装置１００の動作は、上記実施の形態の撮影処理と同様である。但し、撮影処理において表示される各画面の各マークに顧客が指を直接触れることにより、そのマークに対応する情報が入力される。
【００８０】
そして、ステップＳ１０においては、頭の先端、目及びあごの先端の位置調整用にそれぞれ対応するゲージを有する位置入力画面が表示部４０に表示されるとともに、顧客からのゲージ位置の表示部４０上のタッチ入力により、頭の先端、目、あごの先端の位置情報が一斉に取得される。
【００８１】
ステップＳ１３では、例えば、図１０に示す確認用画像と同様の調整用画像ｍ１２１を含む位置入力画面ｍ１２が表示部４０に表示され、被写体Ｍ１の頭の先端にゲージ（ライン）Ｌ４が調整されるように、上下ボタン（マークｋ１２１，ｋ１２２に対応）がタッチ入力され、被写体Ｍの目の先端にゲージ（ライン）Ｌ５が調整されるように、上下ボタン（マークｋ１２３，ｋ１２４に対応）がタッチ入力され、被写体Ｍの目の先端にゲージ（ライン）Ｌ６が調整されるように、上下ボタン（マークｋ１２５，ｋ１２６に対応）がタッチ入力された後に、調整位置決定のマークｋ１２７がタッチ入力される。頭の先端、目、あごの先端の位置の入力順は、顧客が任意に決定できる。
【００８２】
以上、本変形例によれば、表示部４０及び操作部６０を一体に構成したタッチパネルにより、被写体の頭の先端、目及びあごの先端の位置情報を一画面で入力でき、その入力時間を短縮できる。
【００８３】
なお、上記実施の形態及び変形例における記述は、本発明に係る好適な撮影装置の一例であり、これに限定されるものではない。
【００８４】
例えば、上記実施の形態のステップＳ１０において、撮影された画像データの被写体像が顔認証に適しているか否かのチェックを行っているが、これに限定されるものではなく、例えば、ステップＳ６の撮影前にデジタルカメラ３０により撮像された画像データの被写体像が顔認証に適しているか否かのチェックを行うこととしてもよい。
【００８５】
また、撮影装置として、証明写真の撮影、撮影した画像データの（被写体の位置及びサイズの）調整並びにプリントを行う写真撮影装置を説明したが、これに限定されるものではない。例えば、撮影及び撮影した画像データの調整を行うデジタルカメラ、撮影機能付携帯電話機等の撮影装置としてもよい。また、調整した画像データを、ＣＤ―Ｒ、ＤＶＤ―Ｒ等の記録媒体にデータとして記録する構成等としてもよい。
【００８６】
また、以上の実施の形態及び変形例における撮影装置を構成する各部の細部構成及び細部動作に関して本発明の趣旨を逸脱することのない範囲で適宜変更可能である。
【図面の簡単な説明】
【００８７】
【図１】本発明に係る実施の形態の写真撮影装置１００を示す透視図である。
【図２】写真撮影装置１００の内部構成を示すブロック図である。
【図３】パスポート用証明写真の規格を説明するための証明写真Ｆの構成を示す図である。
【図４】撮影処理を示すフローチャートである。
【図５】図４の撮影処理の続きを示すフローチャートである。
【図６】各種画面を示す図であり、（ａ）は料金精算画面ｍ１の構成を示す図であり、（ｂ）はカラー選択画面ｍ２の構成を示す図であり、（ｃ）は写真種選択画面ｍ３の構成を示す図である。
【図７】各種画面を示す図であり、（ａ）は年齢選択画面ｍ４の構成を示す図であり、（ｂ）は撮影ガイド画面ｍ５の構成を示す図であり、（ｃ）は画像選択画面ｍ６の構成を示す図である。
【図８】各種画面を示す図であり、（ａ）は頭位置入力画面ｍ７の構成を示す図であり、（ｂ）は目位置入力画面ｍ８の構成を示す図であり、（ｃ）はあご位置入力画面ｍ９の構成を示す図である。
【図９】各種画面を示す図であり、（ａ）は警告画面ｍ１０の構成を示す図であり、（ｂ）はプリント確認画面ｍ１１の構成を示す図である。
【図１０】位置入力画面ｍ１２の構成を示す図である。
【符号の説明】
【００８８】
１００  写真撮影装置
１０  本体部
１１  制御部
１２  Ｉ／Ｏコントロール
１３  ＲＯＭ
１４  ＲＡＭ
１５  ＤＶＤ
１６  Ｉ／Ｆ
２０  ストロボユニット
２０ａ  ストロボ
３０  デジタルカメラ
４０  表示部
５０  コインメック
６０  操作部
６０ａ  操作ボタン
７０  プリンタ部
７１  取出口
８０  通信部
９１  コネクタ
９２  メディア読込部
９２ａ  スロット
Ｓ  センサ
Ｃ  椅子
【図１】
2006303780.tif 000003
【図２】
2006303780.tif 000004
【図３】
2006303780.tif 000005
【図４】
2006303780.tif 000006
【図５】
2006303780.tif 000007
【図６】
2006303780.tif 000008
【図７】
2006303780.tif 000009
【図８】
2006303780.tif 000010
【図９】
2006303780.tif 000011
【図１０】
2006303780.tif 000012